(57)【要約】【課題】  モデムの電源が切られている場合や、モデムがＤＳＬ回線に接続されていない場合にでも、ＤＳＬ回線を検出できるＤＳＬ回線検出器を提供する。【解決手段】  キャリア検出部１３が、受信されたハンドシェーク信号（Ｃ−ＴＯＮＥＳ）のキャリア（複数）を検出する（ステップＳ１１）。また、キャリア復調部１４が、検出されたキャリアに変調された情報を復調する。また、分析表示制御部１５は、検出された複数のキャリア周波数に対し、回線種別情報テーブル１２で対応づけられた回線種別情報を検索する（ステップＳ１１）。そして、分析表示制御部１５は、回線種別情報を検索できたか否かに応じて、回線１００がＤＳＬ回線か否かを表示装置１１に表示させる（Ｓ１３）。【選択図】図３
2006067093.tif 000002
【特許請求の範囲】
【請求項１】
ＤＳＬ回線の検出を試み、その結果を所定の表示装置に表示させるＤＳＬ回線検出器であって、
ＤＳＬ回線に接続されたＤＳＬＡＭから当該ＤＳＬ回線に送出されるハンドシェイク信号のキャリア周波数と当該ＤＳＬ回線の回線種別を示す回線種別情報とが対応づけられた回線種別情報テーブルと、
ＤＳＬ回線か否かが不明な回線に送出された信号のキャリアを検出するキャリア検出部と、
前記検出されたキャリアのキャリア周波数に対し、前記回線種別情報テーブルで対応づけられた回線種別情報を検索し、検索できたか否かに応じて、前記回線がＤＳＬ回線か否かを前記表示装置に表示させる分析表示制御部と
を備えたことを特徴とするＤＳＬ回線検出器。
【請求項２】
前記分析表示制御部は、検索できた回線種別情報に応じた内容を表示させることを特徴とする請求項１記載のＤＳＬ回線検出器。
【請求項３】
前記ＤＳＬＡＭが複数のキャリアを有するハンドシェイク信号を送出するものであり、
ＤＳＬ回線検出器が、
複数のキャリア周波数と回線種別情報とが対応づけられた前記回線種別情報テーブルと、
ＤＳＬ回線か否かが不明な回線に送出された信号が有する複数のキャリアを検出する前記キャリア検出部と、
検出された複数のキャリアのキャリア周波数に対し、回線種別情報テーブルで対応づけられた回線種別情報を検索する前記分析表示制御部と
を備えたことを特徴とする請求項１または２記載のＤＳＬ回線検出器。
【請求項４】
前記ＤＳＬＡＭは、所定のキャリア周波数を複数有するハンドシェイク信号がＤＳＬ回線に送出されたときにハンドシェイク信号を送出するものであり、
ＤＳＬ回線検出器が、
当該所定の複数のキャリア周波数を有する信号を発生するキャリア発生部と、
該発生した信号をハンドシェイク信号として前記回線に送出するハンドシェイク信号送出部と
を備えたことを特徴とする請求項１ないし３のいずれかに記載のＤＳＬ回線検出器。
【発明の詳細な説明】
【技術分野】
【０００１】
本発明は、モデムの電源が切られている場合や、モデムがＤＳＬ回線に接続されていない場合にでも、ＤＳＬ回線を検出できるＤＳＬ回線検出器に関する。
【背景技術】
【０００２】
ＡＤＳＬ(Asymmetric Digital Subscriber Line)回線は、ＤＳＬ(Digital Subscriber Line)回線に分類される通信回線（回線という）の１つであり、局のＤＳＬＡＭ（Digital Subscriber Line Access Multiplexer）から、ＭＤＦ（Main Distribution Frame)や、柱（電柱）上を経て、ユーザ宅のＡＤＳＬモデムへと接続される。このように配線されるＡＤＳＬ回線は、他のユーザ宅へのＡＤＳＬ回線や一般電話回線といった多数の回線とともに束ねられて配線される。また、ＡＤＳＬ回線には、一般電話回線と共用のものと、専用のものがあり、これらが区別なく束ねられて配線される。
【０００３】
また、ユーザからの要請や工事の都合で、ＡＤＳＬ回線の取り替えや、ＡＤＳＬ回線の一部をなすジャンパ線の除去が必要になることがあり、このような場合、束ねられた多数の回線の中から目的のＡＤＳＬ回線を見つけだす必要がある。
【０００４】
一般電話回線と共用のＡＤＳＬ回線や一般電話回線としてだけ用いられている回線には、交換機からの発信音が重畳されているので、この発信音を検出するタイプの検出器により当該回線を検出することができる。また、専用のＡＤＳＬ回線は、ＤＳＬＡＭとＡＤＳＬモデムとの間の通信を検出する検出器（非特許文献１、２参照）などにより検出することができる。
【非特許文献１】ＡＤＳＬ回線識別器ＩＡＣ−Ａ：高千穂産業株式会社、［online］、［平成１６年８月２５日検索］、インターネット＜URL：http://www.takachiho-sc.co.jp/iac_a.html＞
【非特許文献２】回線チェッカ：大井電気株式会社、［online］、［平成１６年８月２５日検索］、インターネット＜URL：http://www.ooi.co.jp/manufact/keisoku/html/ma_k051.html＞
【発明の開示】
【発明が解決しようとする課題】
【０００５】
しかしながら、非特許文献１、２などに記載された検出器は、ＤＳＬＡＭとＡＤＳＬモデムとの間の通信を検出するので、図４（ａ）に示すように、ＡＤＳＬモデムの電源が切られている場合や、図４（ｂ）に示すように、ＡＤＳＬモデムがＡＤＳＬ回線に接続されていない場合には利用できない。そのため、ＡＤＳＬ回線を線番対象簿などによって見つけなければならず、それには長時間を要する。
【０００６】
本発明は、上記の課題に鑑みてなされたものであり、その目的とするところは、モデムの電源が切られている場合や、モデムがＤＳＬ回線に接続されていない場合にでも、ＤＳＬ回線を検出できるＤＳＬ回線検出器を提供することにある。
【課題を解決するための手段】
【０００７】
上記の課題を解決するために、請求項１の本発明は、ＤＳＬ回線の検出を試み、その結果を所定の表示装置に表示させるＤＳＬ回線検出器であって、ＤＳＬ回線に接続されたＤＳＬＡＭから当該ＤＳＬ回線に送出されるハンドシェイク信号のキャリア周波数と当該ＤＳＬ回線の回線種別を示す回線種別情報とが対応づけられた回線種別情報テーブルと、ＤＳＬ回線か否かが不明な回線に送出された信号のキャリアを検出するキャリア検出部と、前記検出されたキャリアのキャリア周波数に対し、前記回線種別情報テーブルで対応づけられた回線種別情報を検索し、検索できたか否かに応じて、前記回線がＤＳＬ回線か否かを前記表示装置に表示させる分析表示制御部とを備えたことを特徴とするＤＳＬ回線検出器をもって解決手段とする。
【０００８】
請求項１の本発明によれば、ＤＳＬ回線に接続されたＤＳＬＡＭから当該ＤＳＬ回線に送出されるハンドシェイク信号のキャリア周波数と当該ＤＳＬ回線の回線種別を示す回線種別情報とが対応づけられた回線種別情報テーブルと、ＤＳＬ回線か否かが不明な回線に送出された信号のキャリアを検出するキャリア検出部と、検出されたキャリアのキャリア周波数に対し、回線種別情報テーブルで対応づけられた回線種別情報を検索し、検索できたか否かに応じて、回線がＤＳＬ回線か否かを表示装置に表示させる分析表示制御部とを備えたことで、ＤＳＬＡＭとモデムとの間の通信を検出する必要がないので、モデムがＤＳＬ回線に接続されていない場合や、モデムの電源が切られている場合にでも、ＤＳＬ回線を検出することができる。
【０００９】
請求項２の本発明は、前記分析表示制御部は、検索できた回線種別情報に応じた内容を表示させることを特徴とする請求項１記載のＤＳＬ回線検出器をもって解決手段とする。
【００１０】
請求項２の本発明によれば、分析表示制御部は、検索できた回線種別情報に応じた内容を表示させるので、回線種別を知ることができる。
【００１１】
請求項３の本発明は、前記ＤＳＬＡＭが複数のキャリアを有するハンドシェイク信号を送出するものであり、ＤＳＬ回線検出器が、複数のキャリア周波数と回線種別情報とが対応づけられた前記回線種別情報テーブルと、ＤＳＬ回線か否かが不明な回線に送出された信号が有する複数のキャリアを検出する前記キャリア検出部と、検出された複数のキャリアのキャリア周波数に対し、回線種別情報テーブルで対応づけられた回線種別情報を検索する前記分析表示制御部とを備えたことを特徴とする請求項１または２記載のＤＳＬ回線検出器をもって解決手段とする。
【００１２】
請求項３の本発明によれば、回線種別情報テーブルには、複数のキャリア周波数と回線種別情報とが対応づけられ、キャリア検出部は、ＤＳＬ回線か否かが不明な回線に送出された信号が有する複数のキャリアを検出し、分析表示制御部は、検出された複数のキャリアのキャリア周波数に対し、回線種別情報テーブルで対応づけられた回線種別情報を検索するので、複数のキャリアを有するハンドシェイク信号が送出されるＤＳＬ回線を検出することができる。
【００１３】
請求項４の本発明は、前記ＤＳＬＡＭは、所定のキャリア周波数を複数有するハンドシェイク信号がＤＳＬ回線に送出されたときにハンドシェイク信号を送出するものであり、ＤＳＬ回線検出器が、当該所定の複数のキャリア周波数を有する信号を発生するキャリア発生部と、該発生した信号をハンドシェイク信号として前記回線に送出するハンドシェイク信号送出部とを備えたことを特徴とする請求項１ないし３のいずれかに記載のＤＳＬ回線検出器をもって解決手段とする。
【００１４】
請求項４の本発明によれば、ＤＳＬＡＭは、所定のキャリア周波数を複数有するハンドシェイク信号がＤＳＬ回線に送出されたときにハンドシェイク信号を送出するものであり、ＤＳＬ回線検出器が、当該所定の複数のキャリア周波数を有する信号を発生するキャリア発生部と、該発生した信号をハンドシェイク信号として、ＤＳＬ回線か否かが不明な回線に送出するハンドシェイク信号送出部とを備えたので、ＤＳＬＡＭが自らハンドシェイク信号を送出しないときでも、ＤＳＬ回線を検出することができる。
【発明の効果】
【００１５】
本発明のＤＳＬ回線検出器によれば、ＤＳＬ回線に接続されたＤＳＬＡＭから当該ＤＳＬ回線に送出されるハンドシェイク信号のキャリア周波数と当該ＤＳＬ回線の回線種別を示す回線種別情報とが対応づけられた回線種別情報テーブルと、ＤＳＬ回線か否かが不明な回線に送出された信号のキャリアを検出するキャリア検出部と、検出されたキャリアのキャリア周波数に対し、回線種別情報テーブルで対応づけられた回線種別情報を検索し、検索できたか否かに応じて、回線がＤＳＬ回線か否かを表示装置に表示させる分析表示制御部とを備えたことで、ＤＳＬＡＭとモデムとの間の通信を検出する必要がないので、モデムがＤＳＬ回線に接続されていない場合や、モデムの電源が切られている場合にでも、ＤＳＬ回線を検出することができる。
【００１６】
また、分析表示制御部は、検索された回線種別情報に応じた内容を表示させるので、回線種別を知ることができる。
【発明を実施するための最良の形態】
【００１７】
以下、本発明の実施の形態を図面を参照して説明する。
【００１８】
図１は、本実施の形態にＤＳＬ回線検出器１の構成を示す図である。
【００１９】
ＤＳＬ回線検出器１は、ＤＳＬ回線か否かが不明な回線がＤＳＬ回線であるか否かを判定して（ＤＳＬ回線の検出を試みて）、その結果を、例えばＤＳＬ回線検出器１に設けられた表示装置１１に表示させる検出器である。表示装置１１は、例えば、液晶パネルなどにより構成することができる。ここでいうＤＳＬ回線は例えばＡＤＳＬ回線である。
【００２０】
ＤＳＬ回線検出器１は、ＤＳＬＡＭからＤＳＬ回線に送出されるハンドシェイク信号のキャリア周波数と当該ＤＳＬ回線の回線種別を示す回線種別情報とが対応づけられた回線種別情報テーブル１２と、ＤＳＬ回線か否かが不明な回線１００に送出された信号のキャリアを検出するキャリア検出部１３と、検出されたキャリアに変調された情報を復調するキャリア復調部１４と、検出されたキャリア周波数に対し、回線種別情報テーブル１２で対応づけられた回線種別情報を検索し、検索できたか否かに応じて、回線がＤＳＬ回線か否かを表示装置１１に表示させる分析表示制御部１５と、複数のキャリア周波数を有する信号を発生するキャリア発生部１６と、該発生した信号に所定の変調を施して、これをハンドシェイク信号としてＤＳＬ回線か否かが不明な回線に送出するハンドシェイク信号送出部１７とを備える。
【００２１】
図２は、回線種別情報テーブル１２の構成と設定内容とを説明するための図である。具体的には、xDSL勧告で分類された方式と各方式に対応する上り搬送波群および下り搬送波群の周波数番号および周波数を示す図である。
【００２２】
xDSL勧告であるAnnex Aに対応するＤＳＬ回線では、ＤＳＬＡＭからＤＳＬ回線に送出されるハンドシェイク信号（下り搬送波群）のキャリア周波数が、１７２．５ｋＨｚ、２４１．５ｋＨｚおよび２７６ｋＨｚなので、これらのキャリア周波数がAnnex Aに対応する回線種別を示す回線種別情報（例えば、Annex Aでよい）に対応づけられて回線種別情報テーブル１２に設定されている。また、Annex Bに対応するＤＳＬ回線では、下り搬送波群のキャリア周波数が、３１０．５ｋＨｚ、３７９．５ｋＨｚおよび４１４ｋＨｚなので、これらのキャリア周波数がAnnex Bに対応する回線種別を示す回線種別情報（例えば、Annex Bでよい）に対応づけられて回線種別情報テーブル１２に設定されている。また、Annex Cに対応するＤＳＬ回線では、下り搬送波群のキャリア周波数が、５１．７５ｋＨｚ、６０．３７５ｋＨｚおよび２７６ｋＨｚなので、これらのキャリア周波数がAnnex Cに対応する回線種別を示す回線種別情報（例えば、Annex Cでよい）に対応づけられて回線種別情報テーブル１２に設定されている。
【００２３】
また、ＤＳＬＡＭは、例えば、Annex Cで勧告されたハンドシェイク信号（上り搬送波群）がＤＳＬ回線に送出されたときに、当該ＤＳＬ回線に応じたハンドシェイク信号（下り搬送波群）を送出するので、キャリア発生部１６は、当該上り搬送波群が有する複数のキャリア周波数を有する信号を発生し、ハンドシェイク信号送出部１７が、発生した信号に所定の変調を施して、これをハンドシェイク信号（上り搬送波群）として、ＤＳＬ回線か否かが不明な回線１００に送出するようになっている。
【００２４】
なお、ＤＳＬＡＭは、例えば、Annex Cで勧告された上り搬送波群が送出された場合であっても、ＤＳＬ回線がAnnex Aに対応するＤＳＬ回線であれば、Annex Aで勧告された下り搬送波群を送出するというように、上り搬送波群がxDSL勧告で勧告されたものでありさえすれば、自身が接続されたＤＳＬ回線に対応する下り搬送波群を送出するので、キャリア発生部１６は、１つの勧告に対応するキャリア周波数を有する信号を発生できればよい。
【００２５】
次に、ＤＳＬ回線検出器１の動作を説明する。
【００２６】
図２は、ＤＳＬ回線か否かが不明な回線１００がＤＳＬ回線である場合のシーケンスを示す図である。回線１００がＤＳＬ回線であるので、当該回線にはＤＳＬＡＭが接続される。
【００２７】
先ず、キャリア発生部１６は、例えば、Annex Cに対応するキャリア周波数を有する信号を発生し、ハンドシェイク信号送出部１７が、この発生した信号に所定の変調を施して、これをハンドシェイク信号（Ｒ−ＴＯＮＥ−ＲＥＱ）、すなわち上り搬送波群として、ＤＳＬ回線に送出する（ステップＳ１）。ＤＳＬＡＭは、ハンドシェイク信号（Ｒ−ＴＯＮＥ−ＲＥＱ）を受信し（ステップＳ３）、回線１００（ＤＳＬ回線）の回線種別に応じたハンドシェイク信号（Ｃ−ＴＯＮＥＳ）、すなわち下り搬送波群を回線１００（ＤＳＬ回線）に送出し（ステップＳ５）、これがＤＳＬ回線検出器１で受信される（ステップＳ７）。ここまでは、ＪＴ−Ｇ９９４．１ハンドシェーク手順に定められたものである。
【００２８】
なお、ハンドシェイク信号（Ｃ−ＴＯＮＥＳ）が一旦受信できてしまえば、その後の、ＤＳＬＡＭとの通信は不要なので、ハンドシェイク信号（Ｒ−ＴＯＮＥ−ＲＥＱ）の送出を停止する（ステップＳ９）。
【００２９】
次に、キャリア検出部１３が、受信されたハンドシェーク信号（Ｃ−ＴＯＮＥＳ）のキャリア（複数）を検出する（ステップＳ１１）。また、キャリア復調部１４が、検出されたキャリアに変調された情報を復調する。また、分析表示制御部１５は、検出された複数のキャリア周波数に対し、回線種別情報テーブル１２で対応づけられた回線種別情報を検索する（ステップＳ１１）。そして、分析表示制御部１５は、回線種別情報を検索できたか否かに応じて、回線１００がＤＳＬ回線か否かを表示装置１１に表示させる（Ｓ１３）。
【００３０】
ここでは、回線１００をＤＳＬ回線としたので、分析表示制御部１５は、検出されたキャリア周波数に対し、回線種別情報テーブル１２で対応づけられた回線種別情報を検索でき、例えば、この回線種別情報に応じた表示情報（例えば、「この回線はAnnex C回線です」）を表示装置１１に表示させることのより、回線１００がＤＳＬ回線であることを表示する。よって、使用者は回線１００がＤＳＬ回線と知ることができる。
【００３１】
なお、ＤＳＬＡＭは、ハンドシェイク信号（Ｒ−ＴＯＮＥ−ＲＥＱ）を受信しない場合でも、ハンドシェーク信号（Ｃ−ＴＯＮＥＳ）を送出することがあるので、ＤＳＬ回線検出器１は、キャリア発生部１６とハンドシェイク信号送出部１７を備えなくてもよい。
【００３２】
ここまでは、回線１００がＤＳＬ回線であるとして説明したが、回線１００がＤＳＬ回線でない場合は、当該回線にＤＳＬＡＭが接続されていないので、ＤＳＬ回線検出器１は、ハンドシェイク信号（Ｃ−ＴＯＮＥＳ）を受信する（ステップＳ７）ことができず、キャリア検出もできず、よって、回線種別情報を検索することもできないので、分析表示制御部１５は、回線１００がＤＳＬ回線でないと表示装置１１に表示させる。
【００３３】
以上のように、ＤＳＬ回線検出器１によれば、ハンドシェイク信号のキャリア周波数とＤＳＬ回線の回線種別を示す回線種別情報とが対応づけられた回線種別情報テーブルと、ＤＳＬ回線か否かが不明な回線に送出された信号のキャリアを検出するキャリア検出部と、検出されたキャリアのキャリア周波数に対し、回線種別情報テーブルで対応づけられた回線種別情報を検索し、検索できたか否かに応じて、回線がＤＳＬ回線か否かを表示装置に表示させる分析表示制御部とを備えたことで、ＤＳＬＡＭとモデムとの間の通信を検出する必要がないので、モデムがＤＳＬ回線に接続されていない場合や、モデムの電源が切られている場合にでも、ＤＳＬ回線を検出することができる。
【００３４】
また、分析表示制御部１５は、検索された回線種別情報に応じた内容を表示させるので、回線種別を知ることができる。また、回線種別情報テーブルには、複数のキャリア周波数と回線種別情報とが対応づけられ、キャリア検出部は、ＤＳＬ回線か否かが不明な回線に送出された信号が有する複数のキャリアを検出し、分析表示制御部は、検出された複数のキャリアのキャリア周波数に対し、回線種別情報テーブルで対応づけられた回線種別情報を検索するので、複数のキャリアを有するハンドシェイク信号が送出されるＤＳＬ回線を検出することができる。
【００３５】
また、ＤＳＬＡＭは、キャリア周波数を複数有するハンドシェイク信号がＤＳＬ回線に送出されたときにハンドシェイク信号を送出するものであり、ＤＳＬ回線検出器１が、当該複数のキャリア周波数を有する信号を発生するキャリア発生部と、該発生した信号をハンドシェイク信号として、ＤＳＬ回線か否かが不明な回線に送出するハンドシェイク信号送出部とを備えたので、ＤＳＬＡＭが自らハンドシェイク信号を送出しないときでも、ＤＳＬ回線を検出することができる。
【図面の簡単な説明】
【００３６】
【図１】本実施の形態にＤＳＬ回線検出器１の構成を示す図である。
【図２】回線種別情報テーブル１２の構成と設定内容とを説明するための図である。
【図３】ＤＳＬ回線か否かが不明な回線１００がＤＳＬ回線である場合のシーケンスを示す図である。
【図４】図４（ａ）は、ＡＤＳＬモデムの電源が切られている場合の回路図であり、図４（ｂ）は、ＡＤＳＬモデムがＡＤＳＬ回線に接続されていない場合の回路図である。
【符号の説明】
【００３７】
１  ＤＳＬ回線検出器
１１  表示装置
１２  回線種別情報テーブル
１３  キャリア検出部
１４  キャリア復調部
１５  分析表示制御部
１６  キャリア発生部
１７  ハンドシェイク信号送出部
【図１】
2006067093.tif 000003
【図２】
2006067093.tif 000004
【図３】
2006067093.tif 000005
【図４】
2006067093.tif 000006